(57)【要約】      （修正有）【課題】油の吸着機能に優れ取り扱いの容易な油吸着材を提供する。【解決手段】油吸着シートを折り重ねて積層状とし、少なくとも1つのポケット部を構成させ、形状保持体２を、折り重ねて積層状にした油吸着シートの表面と裏面に設けた後、これらの折り重ねられた油吸着シートと形状保持体を、例えば縫製等により一体化させることにより、ポケット部が油が入りこむ容積部となり、油の濃淡にかかわらず収納し、間隙の摩擦で油を附着保有する油吸着材が構成される。【選択図】図３
2010075833.tif 000002
【特許請求の範囲】
【請求項１】
油吸着材シートを折り重ねてポケット部を形成し、この折り重ねた油吸着シートに形状を保持させる形状保持体を設けたことを特徴とする油吸着材。
【請求項２】
ポケット部を複数に区画してなる請求項１記載の油吸着材。
【請求項３】
請求項１または２記載の油吸着材の複数個をネットで被包することを特徴とする油吸着材。
【発明の詳細な説明】
【技術分野】
【０００１】
本発明は油吸着材に係り、さらに詳細には船舶の座礁や衝突、石油タンク、製油所などにおける事故、その他海上、河川、湖沼などに流出した油を附着・吸着除去したり、各種廃水の流入やその他の原因で水上や水中に浮遊する油を附着・吸着除去するのに用いる油吸着材に関する。
【背景技術】
【０００２】
従来、油の拡散を防止するために油の流出域をオイルフェンスなどで囲繞してから、その囲繞域内に溜まった油を油吸着材を用いて吸着して除去することが広く行われている。
【０００３】
その具体的な方法としては油吸着材を有する合成繊維および／または天然繊維よりなる油吸着シートを１枚ずつそのまま油による汚染現場に投入して油吸着シートに油を吸着させた後、その油吸着シートをそのまま１枚ずつ人手により水域より引き上げて回収する方法、あるいは油吸着シートを万国旗状にロープなどに多数取り付けたものを油の汚染現場に投入して油を吸着させ、吸着後ロープを機械や人手で引き上げて回収する方法、さらには油吸着シートを複数枚重ね合わせ、重ね合わせた該複数枚の油吸着シート間にポケット部を形成させてそれらを上下に接合した油吸着材であって、かかる油吸着材を一つの単位として、それを１本または２本以上の線状体にその長さ方向に沿って複数単位取り付けてなる連結形式の油吸着材が知られている（特許文献１）。
【０００４】
【特許文献１】特開平８−１９２１５２号公報
【発明の開示】
【発明が解決しようとする課題】
【０００５】
しかしながら油吸着シート単体で使用する場合安価であるが油吸着能が十分でなく、そのために水域に多量の油が流出した場合には油を十分に吸着して回収することができなかった。しかも油を吸着した油吸着シートはその重量がかなり重くなっているために、一枚一枚回収する際、含油分が重力で漏落する等、その機能性に問題があり、且つ作業に手間がかかる等の欠点があった。
また万国旗状の油吸着材は、油吸着シートがロープに巻き付いたりして油の浮いている場所に円滑にしかも均一に分布しないと言う欠点がある。
さらに特許文献１の油吸着材は、油吸着シート間のポケット部を形成するために、線状体を取り付けるときにポケット部を形成させた状態で取り付けなければならないので製作が極めて困難であり、また油を吸着した後回収する際に油が漏出する欠点があった。
そこで本発明者は、極めて簡単に製作でき、かつ油吸着能力が高く、かつ油吸着後の回収に際しても油吸着材から油の漏出のない油吸着材について種々研究を重ねた結果本発明を完成するに至った。
【課題を解決するための手段】
【０００６】
すなわち、本発明は、油吸着シートを折り重ねてポケット部を形成し、この折り重ねた油吸着シートに形状を保持するための形状保持体を設けた油吸着材を完成させた。
【発明の効果】
【０００７】
本発明の油吸着材は、一枚の油吸着シートにより構成されていることから油の吸着速度が速く、かつポケット部があるので油吸着シートの重ね積層した間に高濃度の油も附着・保油することができる。また、油を吸着した後油吸着材を引き上げる時に油の漏出がポケットがあるので極めて少ない。更に油流出区域から油の流れ出しを防止することができると共に油吸着材の油吸着量も従来より向上する利点がある。                                                                                                                                                                                                                                                                                                                                                                                                                                                                                                                                                                                                                                                                                                                                                                                                                                                                                                                                                                                                                                                                                                                                                  
【発明を実施するための最良の形態】
【０００８】
次に本発明を図面を参照しながら説明するが、本発明は以下の説明のみに限定されるものではない。
本発明は、図１に示すように一枚の油吸着シートを折り重ねて積層状とする。この時に積層状とした油吸着シートの前後にそれぞれ少なくとも1つのポケット部が構成されることが好ましい。図２は図１のA方向からみた側面図である。図１のように折り重ねた状態の油吸着シート１に図３に示す例えば布製のテープのような形状保持体２を、折り重ねて積層状にした油吸着シート１の表面と裏面に、油吸着シートの折れ線部３に対して略９０°になるように設けた後これらの形状保持体２を例えば縫製等により折り重ねられた油吸着シートと一体化させることにより油吸着材が構成される。この場合表面および裏面に設けられた形状保持体２を縫製する場合図４に示すように、形状保持体２にロープ等を通す連通部４を少なくとも１箇所設けることが好ましい。
このようにして製作された油吸着材を使用する場合例えばこの連通部４にロープを通して多数の油吸着材を数珠状にして使用することができる。
【０００９】
また形状保持体２を設ける他の態様としては、折り重ねられた油吸着シートの両縁部近傍を油吸着材の折れ線部３と平行に設けることもできる。
【００１０】
さらに形状保持体２がホッチキス、接着剤等のようなものであればランダムに任意の箇所を固定して油吸着シートを折り重ねた状態に保持することもできる。また図５に示すようなクランプ５で挟み、クランプ５の先端部をリングで止めて保持固定することもできる。この時に適宜クランプ５に、ロープ等を挿通するためのリング等を必要な数だけ入れてクランプ５を固定することもできる。そしてこのリングにロープ等を通せば油吸着材を数珠状に連ねることができる。また図６に示すように予めクランプ５に挿通部４を一体的に設けてもよい。
【００１１】
また本発明の油吸着材は、図７に示すように、形状保持体２を複数個所に設けることによってポケット部６を複数に分画できるので油を吸着した油吸着材を回収するために引き上げた場合、油の漏出をさらに防止することができる。また形状保持体２は図８に示すように折り重ねた油吸着シートにジグザク状に設けることもできる。このポケット部は、油が入れこむ容積部で、油の濃淡にかかわらず収納し、間隙の摩擦で油を附着保有する特徴がある。
このようにポケット部６を複数に分画する場合その分画部は完全に密封にした状態に区分する必要はなく、例えばホッチキス、接着剤、縫製、溶着等によって部分的に固定し、ある程度区画部に隙間があってもよい。
【００１２】
本発明の油吸着材は、さらに他の使用方法として図９に示すようにネット７で油吸着材を例えば一列に並べて被包するようにして用いることもできる。この場合油吸着材を互に連接して設けてもよいが油吸着材との間に間隔を設けるようにすることもできる。その場ネット中で油吸着材がずれない様に例えばホッチキス、接着剤、縫製、溶着のような適宜の固定手段を用いて固定することが好ましい。
【００１３】
また油吸着材の連結方法としては特許文献１に記載されたような長尺物の形状保持体２を用いて油吸着材を連結状とすることもできる。
【００１４】
本発明の油吸着材に用いられる油吸着シートはその厚さも特に制限されるものではなく、油吸着材の使用目的や使用態様に応じて調整することができる。一般に一枚の油吸着シートの厚さを２〜５０ｍｍ程度にすると、油吸着材の製造の容易性や取り扱い性などに利点がある。また油吸着シートの形状は、方形、円形、楕円形などの形状にしておくことができるが、方形の油吸着シートを用いるのが油吸着材の製造の容易性や油吸着能などの点から好ましい。方形の油吸着シートを用いる場合は、正方形であっても長方形であってもよく、一般に、一辺の長さを約３０ｃｍ〜１３０ｃｍ程度の範囲にしておくのが、油吸着材の製造時の作業性、得られる油吸着材の取り扱い性などの点から好ましい。
【００１５】
本発明の油吸着シートの代表例としては、ポリプロピレンなどのポリオレフィン繊維やその他の油吸着性の合成繊維、綿、パルプなどの天然繊維、それらの混合繊維などを用いて形成されている不織布状、編織状の布綿シート、紙状物などからなるシート、あるいはそれらのシートを親油性界面活性剤やその他の親油性向上剤で処理して得られた油吸着シートなどを挙げることができる。本発明においては、特にポリプロピレン繊維で作られた油吸着シート（例えばチッソポリプロハイセパーレ）を用いると、形状保持体で固定した場合、素材の持つ反発力によって油吸着材にポケット部６の間隙部を容易に形成することができる。
【図面の簡単な説明】
【００１６】
【図１】油吸着シートを折り重ねた状態を示す斜視図
【図２】図１のＡ方向から見た側面図
【図３】油吸着材を示す斜視図
【図４】形状保持体を設けた状態を示す斜視図
【図５】クランプの側面図
【図６】他の態様を示すクランプの側面図
【図７】形状保持体を複数本設けて分画された複数のポケット部を有する油吸着材の斜視図。
【図８】形状保持体をジグザク状に設けて複数のポケット部を有する油吸着材の斜視図。
【図９】油吸着材を連接した状態でネットで被包された油吸着材
【符号の説明】
【００１７】
１・・・・油吸着シート
２・・・・形状保持体
３・・・・折れ線部
４・・・・連通部
５・・・・クランプ
６・・・・ポケット部
７・・・・ネット
【図１】
2010075833.tif 000003
【図２】
2010075833.tif 000004
【図３】
2010075833.tif 000005
【図４】
2010075833.tif 000006
【図５】
2010075833.tif 000007
【図６】
2010075833.tif 000008
【図７】
2010075833.tif 000009
【図８】
2010075833.tif 000010
【図９】
2010075833.tif 000011